(57)【要約】図形情報（テキスト、アイコン、イメージなど）が、受信した形式からコンピューティング装置に図形情報を表示するよう適応した形式に修正される。図形情報の修正は、コンピューティング装置の表示機能を表すコンピューティング装置の特性に基づいている。コンピューティング装置に表示するのに適した形式に図形情報を変換するために、図形情報がモジュールで生成される。モジュールは、そのモジュールにある図形情報を入手するためにアクセスされる。入手した図形情報がコンピューティング装置に表示するために適応した形式であるように、図形情報はコンピューティング装置の特性に従ってモジュールから入手される。【選択図】図２
2004533023.tif 000002
【特許請求の範囲】
【請求項１】
コンピューティング装置の表示機能を表す１組の表示特性を有するコンピューティング装置の表示用に図形情報を修正する方法において、
処理形式の図形情報を提供するために表示複製モジュールへの図形情報を生成するステップと、
コンピューティング装置の表示に適した表示形式に図形情報を変換するために、１組の表示特性に基づくアクセス方式に従い前記表示複製モジュールから処理形式の図形情報を入手するステップと
を含む方法。
【請求項２】
前記表示複製モジュールに図形情報を生成する前に、図形情報をそれぞれが図形情報からの表示可能な特性を表す複数の図形要素に区分するステップ
をさらに含み、生成するステップが、
処理形式の図形情報を複製するために前記表示複製モジュールへの前記複数の図形要素のそれぞれを生成するステップ
を含む請求項１に記載の方法。
【請求項３】
前記表示複製モジュールに図形情報を生成する前に、図形データ記憶装置に図形情報を要求するステップをさらに含む請求項１に記載の方法。
【請求項４】
要求するステップが、
コンピューティング装置の表示機能に基づいてコンピューティング装置の１組の表示特性を作成するステップと、
図形情報に対する１組の表示特性と識別子とを含んでいる要求を前記図形データ記憶装置に提供するステップと
を含む請求項３に記載の方法。
【請求項５】
区分するステップが、図形情報の表示を形成する決定された相互関係に従って構成された前記複数の図形要素のそれぞれの間の前記相互関係を決定するステップを含む請求項２に記載の方法。
【請求項６】
生成するステップが、
前記複数の図形要素のそれぞれを第１の形式から処理形式に変換するステップと、
前記決定された相互関係に従い、前記表示複製モジュールで処理形式の前記複数の図形要素のそれぞれを構成するステップと
を含む請求項５に記載の方法。
【請求項７】
入手するステップが、
１組の表示特性に基づいてコンピューティング装置に対する１組の制約を決定するステップと、
処理形式の図形情報を１組の制約に適合させるために、前記アクセス方式を形成する１組の操作を決定するステップと
を含む請求項１に記載の方法。
【請求項８】
入手するステップが、前記アクセス方式に基づいて処理形式の図形情報を前記表示複製モジュールから取り出すステップをさらに含む請求項７に記載の方法。
【請求項９】
コンピューティング装置に表示形式の図形情報を表示するステップをさらに含む請求項１に記載の方法。
【請求項１０】
前記表示複製モジュールが、コンピューティング装置の１組の表示特性と独立している１組の規定特性を有し、処理形式が表示形式と独立している請求項１に記載の方法。
【請求項１１】
コンピューティング装置の表示機能を表す１組の表示特性を有するコンピューティング装置の表示用に図形情報を修正する方法において、
図形情報をそれぞれが図形情報からの表示可能な特性を表す複数の図形要素に区分するステップと、
処理形式の図形情報を提供するために表示複製モジュールへの前記複数の図形要素のそれぞれを生成するステップと、
コンピューティング装置の表示に適した表示形式に図形情報を変換するために、１組の表示特性に基づくアクセス方式に従い前記表示複製モジュールから処理形式の図形情報を入手するステップと
を含む方法。
【請求項１２】
図形情報を区分する前に図形データ記憶装置に図形情報を要求するステップをさらに含む請求項１１に記載の方法。
【請求項１３】
要求するステップが、
コンピューティング装置のコンピューティング装置ベースの機能の１組の表示特性を作成するステップと、
図形情報に対する１組の表示特性と識別子である要求を前記図形データ記憶装置に提供するステップと
を含む請求項１２に記載の方法。
【請求項１４】
区分するステップが、図形情報の表示を形成する前記決定された相互関係に従って構成された前記複数の図形要素のそれぞれの間の相互関係を決定するステップを含む請求項１１に記載の方法。
【請求項１５】
生成するステップが、
前記複数の図形要素のそれぞれを処理形式に変換するステップと、
前記決定された相互関係に従い、前記表示複製モジュールで前記複数の処理形式の図形要素のそれぞれを構成するステップと
を含む請求項１１に記載の方法。
【請求項１６】
入手するステップが、
１組の表示特性に基づいてコンピューティング装置に対する１組の制約を決定するステップと、
処理形式の図形情報を１組の制約に適合させるために、前記アクセス方式を形成する１組の操作を決定するステップと
を含む請求項１１に記載の方法。
【請求項１７】
入手するステップが、前記アクセス方式に基づいて処理形式の図形情報を前記表示複製モジュールから取り出すステップをさらに含む請求項１６に記載の方法。
【請求項１８】
コンピューティング装置に表示形式の図形情報を表示するステップをさらに含む請求項１１に記載の方法。
【請求項１９】
前記表示複製モジュールが、コンピューティング装置の１組の表示特性と独立している１組の規定特性を有し、処理形式が表示形式と独立している請求項１１に記載の方法。
【請求項２０】
コンピューティング装置の表示機能を表す１組の表示特性を有するコンピューティング装置の表示用に図形情報を修正するためのシステムにおいて、
コンピューティング装置によって解釈可能な処理形式の図形情報を保持するための表示複製モジュールと、
第２の形式の図形情報を提供するために、前記表示複製モジュールに図形情報を生成するための解釈機構と、
コンピューティング装置の表示用に適応された表示形式の図形情報を提供するために、１組の表示特性に基づくアクセス方式に従い前記表示複製モジュールから処理形式の図形情報を入手するためのモジュール・アクセス機構と、
処理形式と表示形式への図形の変換を調整するためのコントローラと
を含むシステム。
【請求項２１】
図形情報を複数の図形要素に区分し、図形情報からの表示可能な特性を表す前記複数の図形要素のそれぞれの間の相互関係を決定するための区分機構であって、前記決定された相互関係に従って構成された前記複数の図形要素が図形情報を表す区分機構をさらに含み、前記解釈機構が、前記表示複製モジュールに前記複数の図形要素を生成する請求項２０に記載のシステム。
【請求項２２】
図形情報を保持するための図形データ記憶装置へのインターフェースと、
図形情報に対する識別子を含む、図形情報に対する要求を前記図形データ記憶装置に提供するための要求生成機構と
をさらに含む請求項２０に記載のシステム。
【請求項２３】
前記要求生成機構が、コンピューティング装置の表示機能に基づくコンピューティング装置の１組の表示特性であって、前記要求と共に前記図形データ記憶装置に提供される１組の表示特性を作成するための特性設定機構を含む請求項２２に記載のシステム。
【請求項２４】
前記解釈機構が、
前記複数の図形要素のそれぞれを処理形式に変換するための形式変換機構と、
前記決定された相互関係に従って前記表示複製モジュールで前記複数の処理形式の図形要素のそれぞれを構成するための図形複製機構と
を含む請求項２１に記載のシステム。
【請求項２５】
前記モジュール・アクセス機構が、
１組の表示特性に基づいてコンピューティング装置に対する１組の制約を決定するための特性機構と、
処理形式の図形情報を１組の制約に適合させるために、前記アクセス方式を形成する１組の操作を決定するための操作決定機構と
を含む請求項２０に記載のシステム。
【請求項２６】
前記モジュール・アクセス機構が、前記アクセス方式に基づいて表示複製モジュールから処理形式の図形情報を取り出すための取り出し機構をさらに含む請求項２５に記載のシステム。
【請求項２７】
コンピューティング装置の表示用に表示形式の図形情報を提供するための表示提示機構
をさらに含む請求項２０に記載のシステム。
【請求項２８】
前記表示複製モジュールは、コンピューティング装置の１組の表示特性と独立している１組の規定特性を有し、処理形式は表示形式と独立している請求項２０に記載のシステム。
【請求項２９】
コンピューティング装置の表示機能を表す１組の表示特性を有するコンピューティング装置の表示用に図形情報を修正するためのコンピュータ実行可能命令を記憶しているコンピュータ可読媒体において、前記コンピュータ実行可能命令が、
処理形式の図形情報を提供するために表示複製モジュールへの図形情報を生成するステップと、
図形情報をコンピューティング装置に表示するのに適した表示形式に変換するために、１組の表示特性に基づくアクセス方式に従い前記表示複製モジュールから処理形式の図形情報を入手するステップと
を含むコンピュータ可読媒体。
【請求項３０】
前記表示複製モジュールへの図形情報を生成する前に、図形情報をそれぞれが図形情報からの表示可能な特性を表す複数の図形要素に区分するステップをさらに含み、生成するステップが、処理形式の図形情報を複製するために前記表示複製モジュールへの前記複数の図形要素のそれぞれを生成するステップを含む請求項２８に記載のコンピュータ実行可能命令。
【請求項３１】
前記表示複製モジュールへの図形情報を生成する前に、図形データ記憶装置に図形情報を要求するステップをさらに含む請求項２８に記載のコンピュータ実行可能命令。
【請求項３２】
要求するステップが、
コンピューティング装置の表示機能に基づいてコンピューティング装置の１組の表示特性を作成するステップと、
図形情報に対する１組の表示特性と識別子とを含んでいる要求を前記図形データ記憶装置に提供するステップと
を含む請求項３１に記載のコンピュータ実行可能命令。
【請求項３３】
区分するステップが、図形情報の表示を形成する前記決定された相互関係に従って構成された前記複数の図形要素のそれぞれの間の相互関係を決定するステップを含む請求項３０に記載のコンピュータ実行可能命令。
【請求項３４】
生成するステップが、
前記複数の図形要素のそれぞれを第１の形式から処理形式に変換するステップと、
前記決定された相互関係に従い前記表示複製モジュールで処理形式の前記複数の図形要素のそれぞれを構成するステップと
を含む請求項３３に記載のコンピュータ実行可能命令。
【請求項３５】
入手するステップが、
１組の表示特性に基づいてコンピューティング装置に対する１組の制約を決定するステップと、
処理形式の図形情報を１組の制約に適合させるために、前記アクセス方式を形成する１組の操作を決定するステップと
を含む請求項２８に記載のコンピュータ実行可能命令。
【請求項３６】
入手するステップが、前記アクセス方式に基づいて処理形式の図形情報を前記表示複製モジュールから取り出すステップをさらに含む請求項３５に記載のコンピュータ実行可能命令。
【請求項３７】
コンピューティング装置に表示形式の図形情報を表示するステップをさらに含む請求項２８に記載のコンピュータ実行可能命令。
【請求項３８】
前記表示複製モジュールが、コンピューティング装置の１組の表示特性と独立している１組の規定特性を有し、処理形式が表示形式と独立している請求項２８に記載のコンピュータ実行可能命令。
【請求項３９】
コンピューティング装置の表示機能を表す１組の表示特性を有するコンピューティング装置の表示用に図形情報を修正するためのコンピュータ実行可能命令を記憶しているコンピュータ可読媒体において、前記コンピュータ実行可能命令が、
図形情報をそれぞれが図形情報からの表示可能な特性を表す複数の図形要素に区分するステップと、
処理形式の図形情報を提供するために表示複製モジュールへの前記複数の図形要素のそれぞれを生成するステップと、
コンピューティング装置の表示に適した表示形式に図形情報を変換するために、１組の表示特性に基づくアクセス方式に従い前記表示複製モジュールから処理形式の図形情報を入手するステップと
を含むコンピュータ可読媒体。
【請求項４０】
図形情報を区分する前に図形データ記憶装置に図形情報を要求するステップをさらに含む請求項３９に記載のコンピュータ実行可能命令。
【請求項４１】
要求するステップが、
コンピューティング装置の表示機能に基づいてコンピューティング装置の１組の表示特性を作成するステップと、
図形情報に対する１組の表示特性と識別子である要求を前記図形データ記憶装置に提供するステップと
を含む請求項４０に記載のコンピュータ実行可能命令。
【請求項４２】
区分するステップが、図形情報の表示を形成する前記決定された相互関係に従って構成された前記複数の図形要素のそれぞれの間の相互関係を決定するステップを含む請求項３９に記載のコンピュータ実行可能命令。
【請求項４３】
生成するステップが、
前記複数の図形要素のそれぞれを第１の形式から処理形式に変換するステップと、
前記決定された相互関係に従い、前記表示複製モジュールで前記複数の処理形式の図形要素を構成するステップと
を含む請求項３９に記載のコンピュータ実行可能命令。
【請求項４４】
入手するステップが、
１組の表示特性に基づいてコンピューティング装置に対する１組の制約を決定するステップと、
処理形式の図形情報を１組の制約に適合させるために、前記アクセス方式を形成する１組の操作を決定するステップと
を含む請求項３９に記載のコンピュータ実行可能命令。
【請求項４５】
入手するステップが、前記アクセス方式に基づいて処理形式の図形情報を前記表示複製モジュールから取り出すステップをさらに含む請求項４４に記載のコンピュータ実行可能命令。
【請求項４６】
コンピューティング装置に表示形式の図形情報を表示するステップをさらに含む請求項３９に記載のコンピュータ実行可能命令。
【請求項４７】
前記表示複製モジュールが、コンピューティング装置の１組の表示特性と独立している１組の規定特性を有し、処理形式が表示形式と独立している請求項３９に記載のコンピュータ実行可能命令。
【発明の詳細な説明】
【技術分野】
【０００１】
本発明は、コンピューティング装置に図形情報を表示することを対象とする。
【背景技術】
【０００２】
図形情報を表示することのできるコンピューティング装置の多様化に伴い、各コンピューティング装置が解釈することのできる形式でこのような情報を提供する需要が増加している。この結果、図形情報の多彩な形式が開発され、形式ごとに多種多様な図形情報がしばしば提供されるようになった。これにより生じた形式は、異なるコンピュータ装置に表示された場合に、図形情報を表示することができる機構が異なるために異なって表示される場合がしばしばある。これは、コンピューティング装置上への元の図形情報の不正確な描写の原因となる場合がある。
【発明の開示】
【発明が解決しようとする課題】
【０００３】
発明が解決しようとする課題は、従来の形式は、異なるコンピュータ装置に表示された場合に、図形情報を表示することができる機構が異なるために異なって表示される場合がしばしばあるという点である。
【課題を解決するための手段】
【０００４】
本発明の一態様によれば、コンピューティング装置の表示機能を表す１組の表示特性を有するコンピューティング装置の表示用に第１の形式の図形情報を修正する方法において、第２の形式の図形情報を提供するために表示複製モジュールで図形情報を生成すること、およびコンピューティング装置の表示に適した第３の形式に図形情報を変換するために、１組の表示特性に基づくアクセス方式に従い前記表示複製モジュールから第２の形式の図形情報を入手することを含む方法が提供される。
【０００５】
本発明の別の態様によれば、コンピューティング装置の表示機能を表す１組の表示特性を有するコンピューティング装置の表示用に第１の形式の図形情報を修正する方法において、図形情報をそれぞれが図形情報からの表示可能な特性を表す複数の図形要素に区分すること、第２の形式の図形情報を提供するために表示複製モジュールで前記複数の図形要素のそれぞれを生成すること、およびコンピューティング装置に表示するのに適した第３の形式に図形情報を変換するために１組の表示特性に基づくアクセス方式に従い前記表示複製モジュールから第２の形式の図形情報を入手することを含む方法が提供される。
【０００６】
本発明のさらに別の態様によれば、コンピューティング装置の表示機能を表す１組の表示特性を有するコンピューティング装置の表示用に第１の形式の図形情報を修正するためのシステムにおいて、コンピューティング装置によって解釈可能な第２の形式の図形情報を保持するための表示複製モジュールと、第２の形式の図形情報を提供するために前記表示複製モジュールで図形情報を生成するための解釈機構と、コンピューティング装置の表示に適応させた第３の形式の図形情報を提供するために、１組の表示特性に基づくアクセス方式に従い前記表示複製モジュールから生成された図形情報を入手するためのモジュール・アクセス機構と、第１の形式と第２の形式と第３の形式の間での図形情報の変換を調整するためのコントローラとを含むシステムが提供される。
【０００７】
本発明のさらに別の態様によれば、コンピューティング装置の表示機能を表す１組の表示特性を有するコンピューティング装置の表示用に第１の形式の図形情報を修正するためのコンピュータ実行可能命令を記憶しているコンピュータ可読媒体において、前記コンピュータ実行可能命令が、第２の形式の図形情報を提供するために表示複製モジュールで図形情報を生成すること、およびコンピューティング装置の表示に適した第３の形式に図形情報を変換するために、１組の表示特性に基づくアクセス方式に従い前記表示複製モジュールから第２の形式の図形情報を入手することを含むコンピュータ可読媒体が提供される。
【０００８】
本発明の一態様によれば、コンピューティング装置の表示機能を表す１組の表示特性を有するコンピューティング装置の表示用に第１の形式の図形情報を修正するためのコンピュータ実行可能命令を記憶しているコンピュータ可読媒体において、前記コンピュータ実行可能命令が、図形情報をそれぞれが図形情報からの表示可能な特性を表す複数の図形要素に区分すること、第２の形式の図形情報を提供するために表示複製モジュールで前記複数の図形要素のそれぞれを生成すること、およびコンピューティング装置に表示するのに適した第３の形式に図形情報を変換するために１組の表示特性に基づくアクセス方式に従い前記表示複製モジュールから第２の形式の図形情報を入手することを含むコンピュータ可読媒体が提供される。
【０００９】
当業者には、本発明の別の態様および特徴は、添付の図面と共に本発明の具体的な実施形態の以下の説明を検討することにより明らかになろう。
【発明を実施するための最良の形態】
【００１０】
本発明を図面と共に説明する。
図１および関連する説明は、本発明を実施することができる適切なコンピューティング装置１０の一例を示している。本発明は単一のスタンドアロン・コンピュータ・プログラムの状況で説明するが、本発明は、全体的に、または一部を他のプログラム・モジュールと組み合わせても実施することができる。一般に、プログラム・モジュールは、特定タスクを実行し、または特定の抽象データ型を実施するルーチン、プログラム、構成要素、データ構造などを含む。さらに、本発明は、手持ち型装置、マルチプロセッサ・システム、マルチプロセッサ・ベースの、またはプログラム可能な家庭用電化製品、ミニコンピュータ、メインフレーム・コンピュータ、セットトップ・ボックス、プログラム・モジュールをローカルと遠隔の両方の記憶装置に配置することのできる機器および分散型コンピューティング環境を含む他のコンピュータ・システム構成を使用し、またはこれらと組み合わせて実施することもできる。
【００１１】
図１を参照すると、本発明は、携帯情報端末（ＰＤＡ）、電子オーガナイザー、無線電話、双方向ページャ、従来型コンピュータまたは組み込みコンピューティング装置のようなパーソナル・コンピューティング装置の形式でコンピューティング装置１０内で実施することができる。コンピューティング装置１０は、処理装置１２と、システム・メモリ１４と、通信モジュール３２と、表示ユニット３０と、システム・メモリ１４を含めて様々な構成要素を処理装置１２に結合するシステム・バス１６とを含む。
【００１２】
システム・メモリ１４は、読取専用メモリ（ＲＯＭ）１８およびランダム・アクセス・メモリ（ＲＡＭ）２０を含む。オペレーティング・システム２２、１つまたは複数のアプリケーション・プログラム２４、他のプログラム・モジュール２６、およびプログラム・データ２８を含めて複数のプログラム・モジュールをＲＯＭ  １８またはＲＡＭ  ２０に記憶することができる。
【００１３】
コマンドおよび情報は、入力装置３６を介してコンピューティング装置１０に入力することができる。入力装置３６は、キーボード、ポインティング・デバイス、スタイラス、マイクロフォン、ジョイスティックなどを含むことができる。
【００１４】
システム・バス１６に接続されているデータ記憶装置３４は、固体ドライブ（例えば、ＰＣカード形式のメモリ・カード）または回転磁気媒体ドライブ（例えば、ハードディスク・ドライブ）のような処理装置１２によって直接的にアドレス指定可能でない１つまたは複数の不揮発性の、場合によっては取り外し可能なメモリ装置であってよい。データ記憶装置３４は、処理装置１２がデータ記憶装置のコンテンツにアクセスすることを可能にするために、ドライブ・コントローラのような中間機能を含む。
【００１５】
表示ユニット３０は、システム・メモリ１４またはデータ記憶装置３４からの情報を表示する。表示ユニット３０は、液晶ディスプレイ（ＬＣＤ）、発光ダイオード（ＬＥＤ）、または他の類似のタイプの表示装置のような１つまたは複数の視覚出力装置を含むことができる。
【００１６】
コンピューティング装置１０は、その内容を参照により本明細書に組み込んだ、本発明と同時出願の「Ｍｅｔｈｏｄ  ａｎｄ  Ｓｙｓｔｅｍ  ｆｏｒ  Ｍａｎｉｐｕｌａｔｉｎｇ  Ｇｒａｐｈｉｃｓ  Ｉｎｆｏｒｍａｔｉｏｎ」という名称の同時係属の米国特許出願で開示されているシステムのようなパーソナル・コンピュータ、サーバ、ルータ、ピア・デバイス、または他の共通ネットワーク・ノードのような１つまたは複数の遠隔コンピューティング・システムへの論理接続を使用して通信モジュール３２を介してネットワーク接続された環境で動作することができる。通信モジュール３２は、コンピューティング装置１０と論理接続の間のデータ通信をサポートするためにプロトコル・サポート、バッファリング、処理および制御機能を提供して、ローカル・エリア・ネットワーク（ＬＡＮ）、ワイド・エリア・ネットワーク（ＷＡＮ）、公衆交換電話網（ＰＳＴＮ）、またはパブリック・ランド・モバイル・ネットワーク（ＰＬＭＮ）のような無線および有線ネットワークのどちらでも含むことができる論理接続とインターフェースを取る。
【００１７】
図２は、遠隔コンピューティング・システム１０２と通信状態にある、図形情報を表示するためのコンピュータ装置１０であって、本発明の一実施形態により図形情報がそこから受信されるコンピュータ装置１０を示している。コンピュータ装置１０は、遠隔コンピューティング・システム１０２からテキスト、アイコンおよび他のイメージ、グラフィック・ユーザ・インターフェースなどのような図形情報を要求する。コントローラ１０８、図形解釈機構１２０、表示複製モジュール１２４、および図形データ記憶装置１２２は、すべてコンピューティング装置１０にあり、表示ユニット３０に表示するために遠隔コンピューティング・システム１０２から受信した図形情報を一括して解釈し、適応させる。解釈および適応は、図形情報を、その図形情報が受信された受信形式から、表示ユニット３０に図形情報を表示するために使用することができる表示形式に図形情報を適応させることを可能にする処理形式に変換することを伴う。
【００１８】
遠隔コンピューティング・システム１０２は、コンピューティング装置１０からの要求に基づいてコンピューティング装置１０に対する図形情報を入手する。通信モジュール１０４は、遠隔コンピューティング・システム１０２とコンピューティング装置１０の間の通信を容易にする。図形コンテンツ取り出し機構１０６は、コンピューティング装置１０から受信した要求に示されている図形情報を取り出す。図形情報は、遠隔コンピューティング・システム１０２に記憶しても、または別個の図形コンテンツ・システム（図示せず）から入手してもよい。遠隔コンピューティング・システム１０２は、本発明と同時出願の「Ｍｅｔｈｏｄ  ａｎｄ  Ｓｙｓｔｅｍ  ｆｏｒ  Ｍａｎｉｐｕｌａｔｉｎｇ  Ｇｒａｐｈｉｃｓ  Ｉｎｆｏｒｍａｔｉｏｎ」という名称の同時係属の米国特許出願で開示されているシステムのような図形情報を提供するシステムに提供し、またはそのシステムとインターフェースを取るいかなる装置であってもよい。
【００１９】
コンピューティング装置１０は、図形情報の入手と表示を管理するためのコントローラ１０８と、図形情報を求める要求を生成するための図形要求生成機構１１４と、要求を送信し、図形情報を受信するための通信モジュール３２と、要求された図形情報を記憶するための図形データ記憶装置１２２と、図形情報を解釈するための図形解釈機構１２０と、表示形式への図形情報の変換を支援するための表示複製モジュール１２４と、図形情報を表示するための表示ユニット３０とを含む。図形データ記憶装置１２２は、データ記憶装置３４またはプログラム・データ２８の一部として構成することができる。コントローラ１０８は、処理装置１２、アプリケーション・プログラム２４、他のプログラム・モジュール２６、およびプログラム・データ２８と組み合わせて構成することができる。図形要求生成機構１１４、図形解釈機構１２０、および表示複製モジュール１２４は、データ記憶装置３４、アプリケーション・プログラム２４、他のプログラム・モジュール２６、およびプログラム・データ２８のような様々な構成要素で実施することができる。
【００２０】
コンピューティング装置１０は、表示すべき図形情報の指示を受信する。例えば、表示すべき図形情報を示すコマンドは入力装置３６から受信することができる。コントローラ１０８は、図形情報の指示を含んでいる入力情報を受信する。識別情報は、遠隔コンピューティング・システム１０２のような図形情報を入手することのできる外部ソースと図形情報に対する識別子とを含むことができる。
【００２１】
コントローラ１０８は、識別された図形情報を入手し、表示する過程を管理するために協同して機能する図形入手機構１１０、図形表示機構１１２、および入力評価機構１２６を含む。入力評価機構１２６は、新しい図形情報の表示を求める要求、または現在表示されている図形情報の調整（例えば、ズーム、パン、拡大縮小など）のような受信したコマンドのタイプを決定するために入力情報を解析する。
【００２２】
入力情報が指示された図形情報の表示を求める要求である場合、入力情報は図形入手機構１１０に提供される。図形入手機構１１０は、入力情報で示された図形情報が既に表示され、記憶されているか否かを決定するために図形データ記憶装置１２２を調べることができる。図形情報が図形データ記憶装置１２２で見つからない場合、要求形成のために図形情報を求める要求に関連する入力情報の部分が図形要求生成機構１１４に提供される。要求に関連する入力情報の部分は、図形情報のソースの位置と図形情報の識別子とを含むことができる。
【００２３】
図形要求生成機構１１４は、コンピューティング装置１０の関連する識別子と要求された図形情報とを含む図形情報を求める要求を作成する図形配置機構１１６とプロファイル生成機構１１８とを含む。図形配置機構１１６は、関連する入力情報を受信し、図形情報を入手するために接触されるべき遠隔コンピューティング・システム１０２と、遠隔コンピューティング・システム１０２に接触するために用いられる過程と、図形情報識別子とを決定する。遠隔コンピューティング・システム１０２の位置は、入力情報から受け取ることができ、１つまたは複数の位置から構成することができる。位置情報は、既定の図形情報ソースの場合、図形配置機構１１６または図形データ記憶装置１２２に付加的に記憶することもできる。例えば、遠隔コンピューティング装置１０２が別のシステムから図形情報を入手する場合、遠隔コンピューティング・システム１０２の位置は図形配置機構１１６または図形データ記憶装置１２２に記憶することができ、他のシステムの位置は入力情報に含めることができる。これにより、同じ位置（すなわち、遠隔コンピューティング・システム）および要求に含まれている他のシステムに対するアドレスに送信されているすべての要求が得られる。遠隔コンピューティング・システム１０２に接触するために用いられる過程は、図形配置機構１１６または図形データ記憶装置１２２に記憶することも、または入力情報に含めることもできる。
【００２４】
入力情報に含まれる識別情報は、例えば１つ以上のファイル名によって図形情報を識別する。図形情報を入手するための関連情報が一度決定されると、図形配置機構１１６は、遠隔コンピューティング・システム１０２に送信される関連情報を含む要求を形成する。
【００２５】
プロファイル生成機構１１８は、コンピューティング装置１０の機能の特性を作成する。コンピューティング装置１０の特性は、コンピューティング装置１０のタイプと、メモリ量と、送信速度と、処理装置１２の速度と、色機能、表示サイズ、表示の解像度、色の深み、ピクセル縦横比、ピクセル・ピッチ、メモリ・マッピングへのビットマップ表現などのような表示ユニット３０の特性のような情報を含むことができる。コンピューティング装置１０の特性またはプロファイルの作成は、要求生成機構１１４の初期設定時に実行することができ、図形データ記憶装置１２２のようなデータ記憶装置に記憶することができる。上記の代わりに、または上記と組み合わせて、プロファイル生成機構１１８は、特性を形成するために、使用可能なメモリなどのような現在の特性についてコンピューティング装置１０の異なる構成要素に照会することができる。特性またはプロファイルは、要求に含めるために図形入手機構１１０に提供される。
【００２６】
次いで特性を含む完全な要求は、遠隔コンピューティング装置１０２に送信するために通信モジュール３２に提供される。遠隔コンピューティング装置１０２は、図形情報を求める要求を処理し、要求された図形情報をコンピューティング装置１０に提供する。遠隔コンピューティング装置１０２からの図形情報は、通信モジュール３２によって受信され、コントローラ１０８に提供され、そこでは受信した図形情報を表示する過程が図形表示機構１１２によって管理される。
【００２７】
図形情報が既に受信されている場合、または入力情報が、現在表示されている図形情報を調整することを求める要求である場合、図形表示機構１１２は、入力情報に示され、または表示ユニット３０の特性によって指定されている特性を有する表示形式に図形情報を変換する過程を調整する。図形表示機構１１２は、受信した図形情報を図形データ記憶装置１２２に記憶することができる。入力情報が表示特性を調整することを求める要求であった場合、現在表示されている図形情報の１つ以上の記憶位置を決定するために、図形表示機構１１２は図形データ記憶装置１２２と表示複製モジュール１２４とを検査する。図形表示機構１１２は、図形データ記憶装置１２２から現在表示されている図形情報を入手することができる。図形データ記憶装置１２２からの図形情報は、表示ユニット３０が表示可能な処理形式および表示形式になるように操作するために、図形解釈機構１２０に提供される。
【００２８】
あるいは、現在表示されている図形情報は、処理形式で表示複製モジュール１２４に保持されている可能性がある。そうである場合、図形表示装置１１２から図形解釈機構１２０に、表示複製モジュール１２４の図形情報は入力情報に示されている調整に従って操作され、取り出されるべきであるという指示が提供される。図形表示機構１１２は、処理形式への変換が既に実行されているので、表示複製モジュール１２４に置かれている図形情報を好都合とする場合がある。
【００２９】
操作された図形情報が、表示ユニット３０に表示するために図形表示機構１１２に戻される。操作された図形情報は、図形情報の表示特性を適応させる際に使用するために図形表示機構１１２によって図形データ記憶装置１２２に記憶することができる。
【００３０】
図形データ記憶装置１２２は、遠隔コンピューティング装置１０２から最近受信した任意の図形情報と図形解釈機構１２０によって表示するために操作されている図形情報を含めることができる。図形データ記憶装置１２２に記憶されている情報は、コンピューティング装置１０の特性に依存する場合がある。例えば、コンピューティング装置１０のメモリ量が少ない場合、操作された図形情報を図形データ記憶装置１２２に記憶しておき、他の図形情報が要求された時にこれを除去することができる。最近受信した図形情報が図形データ記憶装置１２２に記憶されていない場合、図形入手機構１１０は図形情報を求めてデータ記憶装置１２２を探さない。
【００３１】
図形解釈機構１２０は、受信した図形情報を、様々な幾何学形状（例えば、線、円、ポリゴンなど）、複合効果（例えば、アンチエリアス処理、半透明など）、ビットマップ、およびテキストのようなその構成要素オブジェクトに区分する。これらの構成要素オブジェクトは、図形情報を一括して表す。表示ユニット３０を模擬的に示し、したがって図形情報をそれが表示されるように表すために構成要素オブジェクトを相対的に配向し、構成することができるように、表示複製モジュール１２４が使用される。表示複製モジュール１２４で相対的に配向され、構成された構成要素オブジェクトは、表示形式に変換するのに適した形式で処理形式の図形情報を提供する。次いで、表示ユニット３０が受理し、表示すべき表示形式に図形情報を変換するために図形解釈機構１２０が表示複製モジュール１２４にアクセスすることができる。
【００３２】
表示複製モジュール１２４は、図形情報を表すために、図形解釈機構１２０が個々の構成要素オブジェクトを配向し、構成することを支援する。次いで表示複製モジュール１２４の図形情報は、図形情報を表示形式に変換するために表示ユニット３０が使用する方法と類似の方法でアクセスすることができる。
【００３３】
表示複製モジュール１２４は、各要素が表示ユニット３０の表示要素を表す複数要素のグリッドから構成することができる。表示複製モジュール１２４は、各オブジェクトをビットマップとして表示することができ、したがって、処理形式と表示形式は受信した図形情報のビットマップ表現とすることができる。
【００３４】
表示ユニット３０の表示要素は一般にピクセルである。ピクセルと、したがって表示複製モジュール１２４の各要素は、より複雑な表色系のためにより多くの数によって各ピクセルまたは要素を表して、様々な色パレットに対して黒または白、グレイの様々な階調、または指定の色を表すことができる場合がある。表示複製モジュール１２４の各要素は、表示ユニット３０の色の複合度に関係なく一貫したサイズ（例えば、１バイト、２バイト、または４バイト）である。したがって、表示複製モジュール１２４は、表示ユニット３０に表示されるような図形情報の実際の形式を考慮する必要はない。さらに、表示複製モジュール１２４は、表示ユニット３０のサイズによってサイズを制限する必要はない。表示複製モジュール１２４でオブジェクトを表示する方法は、コンピューティング装置１０の表示機能と独立であってよい。
【００３５】
表示ユニット３０のサイズおよび／または色パレットまたはいかなる他の特性の変換でも単独で行うことができる（例えば、表示形式を形成するための表示複製モジュール１２４のアクセス中に）。これにより、様々なサイズ、色パレット、ピクセル密度などを有する場合のあるコンピューティング装置１０のタイプに関わらず、表示複製モジュール１２４の特性を一貫して維持することができる。処理形式の図形情報を含んでいる表示複製モジュール１２４は、図形情報の実際の表現のシミュレーションを提供する。
【００３６】
図２はコンピューティング装置１０と通信状態にある単一の遠隔コンピューティング・システム１０２を示しているが、これは一例であって、コンピューティング装置１０は複数の遠隔コンピューティング・システム１０２と通信状態に置くことができる。
【００３７】
図３は、図２に示した図形解釈機構１２０のシステム図を示している。図形解釈機構１２０は、受信した図形情報を受信した形式から、表示ユニット３０に図形情報を表示するために使用される表示形式への処理形式に変換する。図形解釈機構１２０は、図形情報を受信した形式から処理形式に変換するための形式変換機構２２２と、図形情報を構成要素オブジェクトに区切るための図形区分機構２２０と、表示複製モジュール１２４で構成要素オブジェクトを相対的に配向し、構成するための表示複製入力機構２１４と、表示複製モジュール２１４にアクセスし、図形情報を表示形式に変換するようにそのコンテンツを操作するための表示調和機構２０２とを含む。
【００３８】
図形区分機構２２０は、図形情報をその構成要素オブジェクトに区分する。受信した形式の図形情報は記述的形式とし、容易な区分を提供するように構成することができる（例えば、各分岐が構成要素オブジェクトを表すツリー形式）。この形式で図形情報から個々のオブジェクトを取り出すことができる。あるいは、図形区分機構２２０は、関連する表示情報を有する各エンティティを構成要素オブジェクトとして表し、オブジェクト間の相互関係を示す図形情報の抽象表現を作成することができる。例えば、円と、サイズ、充填、線の太さなどのような円の表示に関連したすべての情報とが構成要素オブジェクトを形成することができる。
【００３９】
形式変換機構２２２は、各構成要素オブジェクトを、表示複製モジュール１２４の形式と一致する処理形式に変換する。形式変換機構２２２は、構成要素オブジェクトを、記述的表現から表示可能オブジェクトに変換する。処理形式は、各構成要素オブジェクトを、表示複製モジュール１２４が構成されている要素によって表すことができる。すなわち、例えば処理形式はビットマップ表現であってよい。処理形式は、コンピューティング装置１０の表示機能と独立することができる。
【００４０】
表示複製入力機構２１４は、形状表示機構２１６、効果表示機構２１８、およびテキスト表示機構２０８を含む。表示複製入力機構２１４は、表示複製モジュール１２４に処理形式の構成要素オブジェクトを提供し、図形情報が表示されるようにその図形情報を再構築するためにオブジェクトを相互に配向する。各表示機構２１６、２１８、２０８は、構成要素が表示されるか否かを決定し、表示複製モジュール１２４に表示されるようにそれらの構成要素を生成する。構成要素が表示ユニット３０が正確に表示するには詳細過ぎ、表示するには複雑過ぎる場合などには、その構成要素を表示することはできない。
【００４１】
形状表示機構２１６は、そこに表示するために表示複製モジュール１２４で形状構成要素オブジェクトを生成する。形状の生成は、形状構成要素オブジェクトによって表される形状のストローク（輪郭）および／または充填（内部）のラスタ化を伴う。形状は、線、楕円、ポリゴン、および他の幾何学的形状を含むことができる。充填はベタ、パターン、透明、階調などであってよい。効果表示機構２１８は、複合効果構成要素オブジェクトに従って表示複製モジュール１２４のコンテンツを構成する。複合効果は、アンチエリアス効果、半透明、クリッピング、および他の類似の図形技術を含むことができる。テキスト表示機構２０８は、表示複製モジュール１２４に表示するために表示に関するテキストを含んでいる構成要素オブジェクトを提供する。テキストは、表示複製モジュール１２４で形状の生成と類似の方法で生成することができる。
【００４２】
形状表示機構２１６、効果表示機構２１８、およびテキスト表示機構２０８は、表示になるべき表示複製モジュール１２４を考慮し、それに従って表示複製モジュール１２４のグリッド上に構成要素オブジェクトを「描く」。構成要素オブジェクトを表示複製モジュール１２４に「描くこと」すなわち生成することは、図形表現全体となるべき表示可能な領域を考慮して、図形情報を記述的表現からラスタ化された表現に変換することを伴う。例えば、表示の左上角から縦に２ピクセル、横に２ピクセルだけオフセットした高さ３ピクセル×幅５ピクセルの長方形は、記述的表現では＜ｒｅｃｔ  ｘ＝”２  ｐｉｘｅｌｓ”ｙ＝”２  ｐｉｘｅｌｓ”ｈｅｉｇｈｔ＝”３  ｐｉｘｅｌｓ”ｗｉｄｔｈ＝”５  ｐｉｘｅｌｓ”＞となる。この同じ要素を高さ８ピクセル×幅１６ピクセルのモノクロ表示用にラスタ化した表現を次に示す（「０」＝白のピクセル、「１」＝黒のピクセルとして、各文字はピクセルを表す）。
００００００００００００００００
００００００００００００００００
００１１１１１０００００００００
００１０００１０００００００００
００１１１１１０００００００００
００００００００００００００００
００００００００００００００００
００００００００００００００００
表示複製モジュール１２４への形状、効果、およびテキストの描画、生成、またはラスタ化は、これらの機能を実行するための周知の技術に従って実行することができる。
【００４３】
表示調和機構２０２は、表示複製モジュール１２４のコンテンツを入手するための表示複製モジュール１２４へのアクセスである。表示調和モジュール２０２は、表示特徴付け機構２０４と、表示複製アクセス機構２０６と、ピクセル適応機構２１２を備えたデータ基準整合機構２１０とを含む。表示特徴付け機構２０４は、表示前に図形情報を適合すべき表示ユニット３０の特性を決定する。これらの特性は、図形要求生成機構１１４によって形成されるコンピューティング装置のプロファイルから導くことができる。あるいは、入力情報が現在表示されている図形情報の表示を調整することを求める要求であった場合、要求された調整から、場合によってはコンピューティング装置のプロファイルと組み合わせて特性を決定することができる。表示特徴付け機構２０４は、表示複製モジュール１２４から入手された図形情報が整合される表示特性から１組の基準を作成する。基準は、色表示の調整と、テキスト表示と、サイズと、要素の位置を示す座標系と、要素の密度または解像度と、各要素に関する情報の順序付けおよび記憶とを含むことができる。
【００４４】
データ基準整合機構２１０は、表示特徴付け機構２０４によって決定される１組の基準に整合するように表示複製モジュール１２４のコンテンツを操作する。表示複製モジュール１２４にアクセスする前、後、および／またはその最中に１組の基準を図形情報に適用することができる。データ基準整合機構２１０は、図形情報を１組の基準に整合させるために、図形情報に対して実行されるべき一連の操作を決定する。一連の操作のうちの各操作は、実施態様の所望の段階（例えば、表示複製モジュール１２４へのアクセスの前、後、または最中）を含むことができる。表示複製モジュール１２４にアクセスする前に実行されるべきこれらの操作は、データ基準整合機構２１０によってモジュール１２４のコンテンツに直接的に適用することができる。表示複製モジュール１２４のアクセス中に実行されるべき操作が表示複製アクセス機構２０６に提供される。
【００４５】
表示複製モジュール１２４は表示ユニット３０の特性と独立しているので、図形情報が処理形式になるよう再処理することを必要とせずにスクロール、パン、およびズームのような機能を実行することによって、新しい表示可能な図形情報を提供するようにコンテンツを調整することができる。これらの機能は、異なる表示特性を指定する表示複製モジュール１２４のコンテンツを再変形および再変換することによって達成することができる。
【００４６】
表示複製アクセス機構２０６は、図形情報を解釈し、表示するために表示ユニット３０が使用する方式に従って表示複製モジュール１２４のコンテンツを取り出す。表示複製モジュール１２４アクセス方式に関する詳細は、アクセス中に実行することができる１つまたは複数の操作で記述することができる。表示複製アクセス機構２０６は表示複製モジュール１２４のコンテンツを取り出すので、提供された操作が示す特定の順番およびサイズを使用することができる。表示複製モジュール１２４の各要素がアクセスされる順番は、表示ユニット３０のタイプと独立したものであってよい。例えば、Ｒｅｓｅａｒｃｈ  Ｉｎ  Ｍｏｔｉｏｎ（登録商標）の装置では１バイトは８ピクセルを表すだけでなく、その８ピクセルは装置の表示上に縦に配向されるものと想定される。したがって、表示複製モジュール１２４のグリッドからの列と行の取り出しは、コンピューティング装置１０のタイプと独立したものであってよい。取り出し中にも、表示複製アクセス機構２０６は、表示ユニット３０の表示可能な領域を考慮し、表示ユニット３０で表示可能な表示複製モジュール１２４の部分だけを取り出すことができる。表示可能な領域は、サイズおよび位置によって操作で指定することができる。
【００４７】
表示複製アクセス機構２０６は、表示ユニット３０に表示する前にさらに操作するために表示複製モジュール１２４から取り出した図形情報を記憶することもできる。取り出された図形情報が記憶されている形式は、表示ユニット３０が期待する形式と独立したものであってよい。表示ユニット３０によっては、列および／または行の境界にまたがるデータ要素（例えば、ワードなど）にピクセル情報がパックされることを期待する。したがって、表示複製モジュール１２４のコンテンツは指定された順番に従って取り出されるので、この情報は指定された形式でも記憶することができる（例えば、１バイトで記憶されている８個の要素からの情報）。この代わりに、取り出された図形情報の異なる記憶形式への変換を、最初の記憶と他の操作が実行された後で行うことができる。
【００４８】
表示複製モジュール１２４のコンテンツは、表示複製アクセス機構２０６によって取り出された後、残りの操作を実施するためにデータ基準整合機構２１０に提供される。これは、色表示の変換と、テキスト表示の変換と、要素の密度または解像度の変換と、それ以前に実行されていない場合は、記憶形式の変換も伴う場合がある。色表示の変換は、２４ビットの総天然色系からグレイスケールの色表示への変換のような色の簡素化を伴う場合がある。色表示の簡素化は、記憶形式の変換前に要求される場合がある。テキスト表示の変換は、他の操作と組み合わせて視認性／可読性を保証するためにテキストを配置することを伴う場合がある。取り出された図形情報の各要素のサイズを表示ユニット３０の各ピクセルのサイズに整合させるために、要素の密度または解像度の変換がピクセル適応機構２１２によって実行することができる。これは、数群のピクセルのサンプリングまたは平均化、すなわち取り出された図形情報の解像度の低減を伴う場合がある。変換は、当技術分野で周知の複数の技術のどれに従っても実行することができる。
【００４９】
変換実行後、図形情報は表示形式となり、表示ユニット３０に表示するためにコントローラ１０８の図形表示機構１１２に提供される。
表示調和機構２０２は、コンピューティング装置１０のタイプに特有であってよい。これにより、図形解釈機構１２０は、コンピューティング装置のタイプごとに１つの構成要素（すなわち、表示調和機構２０２）だけを置き換えることによりカスタム化することができる。
【００５０】
本発明の様々な実施形態が、コンピューティング装置１０に組み込まれる上記機能の異なる部分集合をサポートするということが理解されよう。含まれる機能は、コンピューティング装置１０の処理装置１２の対象となるターゲット・アプリケーション、使用可能なメモリ、および処理容量、並びに他の類似の考慮事項を反映する。このようにして、コンピューティング装置１０に対して図形情報を表示する機能を拡大縮小可能な実施態様に提供することができる。
【００５１】
図４ＡおよびＢは、本発明の一実施形態による図形情報を入手し、その図形情報をコンピューティング装置１０の表示ユニット３０に表示する方法３００を示す流れ図を示している。ステップ３０２で、図形情報が表示されることになっているという指示がコントローラ１０８から受信される。この指示は、新しい図形情報を表示することを求める要求、または現在表示されている図形情報を調整表示特性によって表示することを求める要求の結果であってよい。この入力指示は、要求のタイプと、行われるべき調整、または図形情報を入手する場所のような任意の他の関連情報とを含む。
【００５２】
ステップ３０４で要求のタイプが決定される。要求が新しい図形情報を表示することを求めている場合、ステップ３０６で図形情報の位置と図形情報識別子が入力指示から決定される。
【００５３】
ステップ３０８でコンピューティング装置１０の特性が作成される。この特性は、処理機能、通信機能、記憶機能、および表示機能に関する情報を含む。
ステップ３１０で、図形情報の位置および識別子とコンピューティング装置の特性とから要求が形成される。この要求は、ステップ３１２で、入力指示に示されている位置に送信される。次いでステップ３１４で、要求された図形情報が受信される。
【００５４】
ステップ３１６で、受信した図形情報が構成要素オブジェクトに区分される。構成要素オブジェクトは、個々の形状、複合効果、およびテキスト並びにそれら要素のそれぞれに対して関連する任意の表示情報を表すことができる。ステップ３１８で、表示されるべきこれらの構成要素オブジェクトが決定される。コンピューティング装置１０の表示ユニット３０が、表示ユニット３０の特性（例えば、表示サイズ、ピクセルのサイズ、または解像度など）が原因で複合効果などの表示に対処することができない場合、特定の構成要素オブジェクトを図形情報から除去することができる。
【００５５】
表示ユニット３０に表示されることになっている各構成要素オブジェクトは、一般的には記述的な受信した形式（例えば、スケーラブル・ベクトル・グラフィックス−ＳＶＧ）から一般的にはラスタ化されている処理形式（例えば、ビットマップ）に変換される。次いでステップ３２２で、各構成要素オブジェクトが表示複製モジュール１２４で生成される。各構成要素オブジェクトの生成は、処理形式のオブジェクトを表示複製モジュール１２４のグリッドに適用すること、および図形情報が表示されるようにその図形情報を複製するために各オブジェクトを相対的に配向することを伴う。
【００５６】
ステップ３２４で、表示ユニット３０に対する１組の制約が、コンピューティング装置１０の特性と入力指示とに基づいて決定される。入力指示の要求が現在表示されている図形情報の調整であった場合、指示された調整はその１組の制約に含まれる。ステップ３２６で、表示複製モジュール１２４の図形情報を１組の制約に適合させる１組の操作が作られる。ステップ３２８で、これらの操作のそれぞれに対して、表示複製モジュール１２４のコンテンツの取り出しに対して（例えば、前、後、または最中）実行の１つの段階が決定される。
【００５７】
ステップ３３０で、表示複製モジュール１２４のコンテンツは、取り出しの前に実行されるべき操作に従って修正される。次いでステップ３３２で、表示複製モジュール１２４のコンテンツは、取り出し中に実行される操作に従って取り出される。表示複製モジュール１２４のコンテンツが取り出された後、ステップ３３４で、その後に実行されるべき操作が適用される。これらの操作の結果は、処理形式の図形情報を表示形式に変換する。次いで図形情報は、ステップ３３６で表示ユニット３０に表示される。
【００５８】
当業者には、本発明の趣旨および範囲を逸脱せずに本明細書に記載の具体的な実施形態の多数の修正形態および変更を行うことができるということが明らかになろう。
【産業上の利用可能性】
【００５９】
実施形態によって上記で説明した本発明は、図形情報表示の産業分野に適用される。
【図面の簡単な説明】
【００６０】
【図１】本発明を実施することができる汎用コンピューティング装置のシステム図である。
【図２】本発明の一実施形態による、コンピューティング装置に図形情報を適応させ、表示するためのシステムのシステム図である。
【図３】図２のシステムの図形解釈機構のシステム図である。
【図４Ａ】本発明の実施形態による、図形情報を適応させ、表示させる方法を表す流れ図である。
【図４Ｂ】本発明の実施形態による、図形情報を適応させ、表示させる方法を表す流れ図である。
【図１】
2004533023.tif 000003
【図２】
2004533023.tif 000004
【図３】
2004533023.tif 000005
【図４Ａ】
2004533023.tif 000006
【図４Ｂ】
2004533023.tif 000007
【国際公開パンフレット】
2004533023.tif 000008
2004533023.tif 000009
2004533023.tif 000010
2004533023.tif 000011
2004533023.tif 000012
2004533023.tif 000013
2004533023.tif 000014
2004533023.tif 000015
2004533023.tif 000016
2004533023.tif 000017
2004533023.tif 000018
2004533023.tif 000019
2004533023.tif 000020
2004533023.tif 000021
2004533023.tif 000022
2004533023.tif 000023
2004533023.tif 000024
2004533023.tif 000025
2004533023.tif 000026
2004533023.tif 000027
2004533023.tif 000028
2004533023.tif 000029
2004533023.tif 000030
2004533023.tif 000031
2004533023.tif 000032
2004533023.tif 000033
2004533023.tif 000034
2004533023.tif 000035
2004533023.tif 000036
2004533023.tif 000037
2004533023.tif 000038
2004533023.tif 000039
2004533023.tif 000040
2004533023.tif 000041
2004533023.tif 000042
2004533023.tif 000043
【国際調査報告】
2004533023.tif 000044
2004533023.tif 000045
2004533023.tif 000046